(57)【要約】【課題】携帯用機器をズボンやスカートのポケットに入れて使用する際にポケットから延び出るイヤホンのコードを上半身周りにてすっきりと納めることのできるシャツを提供する。【解決手段】胸ポケット２０と、該胸ポケット２０内に設けられて胸ポケット２０の内部とシャツ１０の裏側とを連通させる胸ポケット孔２０であり、携帯用機器４０のイヤホン４１のコード４２を挿通可能な胸ポケット孔２０と、裾に設けられてシャツ１０の表側と裏側とを連通させる裾孔３０であり、携帯用機器４０のイヤホン４１のコードを４２挿通可能な裾孔３０とを備える。【選択図】図３
0003152825.tif 000002
【実用新案登録請求の範囲】
【請求項１】
胸ポケットと、
該胸ポケット内に設けられて胸ポケットの内部とシャツの裏側とを連通させる胸ポケット孔であり、携帯用機器のイヤホンのコードを挿通可能な胸ポケット孔と、
裾に設けられてシャツの表側と裏側とを連通させる裾孔であり、携帯用機器のイヤホンのコードを挿通可能な裾孔と
を備えることを特徴とするシャツ。
【請求項２】
側部にて互いに縫着された前身頃及び後身頃を有し、
前記裾孔は、前記前身頃と前記後身頃との縫着部分に設けられている
ことを特徴とする請求項１に記載のシャツ。
【請求項３】
前記裾孔には、穴カガリが施されている
ことを特徴とする請求項２に記載のシャツ。
【考案の詳細な説明】
【技術分野】
【０００１】
本考案は、シャツに関するものであり、詳しくは、イヤホンを有する携帯用機器をズボンやスカートのポケットに入れて携帯用機器を使用する際にイヤホンのコードをシャツの内側に納めることができるシャツに関するものである。
【背景技術】
【０００２】
近年においては、小型軽量で携帯して使用することのできる様々な携帯用機器が案出されており、中には、携帯用音楽再生機や携帯電話機等のように、携帯して音楽や会話を楽しむことのできるイヤホンを有する携帯用機器がある。
【０００３】
そして、従前より、携帯用機器を内ポケットに入れて手軽に使用できるようにしたり、内ポケットに入れた携帯用機器のイヤホンのコードが邪魔にならないようにコードを内側に這わせることができるようにした上着が種々案出されている。
【考案の概要】
【考案が解決しようとする課題】
【０００４】
ところで、上着を着用しない夏場等においては、ズボンやスカートのポケットに携帯用機器を入れて使用する場合がある。このような場合には、イヤホンのコードがズボンやスカートのポケットから延び出て使用者の上半身の周りにて引回されるため、イヤホンのコードが煩わしくなるのであるが、現在のところ、ズボンやスカートのポケットに入れた携帯用機器のイヤホンのコードが煩わしくならないようにすることについて、何らの工夫もなされていない。
【０００５】
本発明は、上記実情を鑑みてなされたものであり、携帯用機器をズボンやスカートのポケットに入れて使用する際にポケットから延び出るイヤホンのコードを上半身周りにてすっきりと納めることのできるシャツの提供を課題とする。
【課題を解決するための手段】
【０００６】
上記課題を解決するために本考案の採った主要な手段は、
「胸ポケットと、
該胸ポケット内に設けられて胸ポケットの内部とシャツの裏側とを連通させる胸ポケット孔であり、携帯用機器のイヤホンのコードを挿通可能な胸ポケット孔と、
裾に設けられてシャツの表側と裏側とを連通させる裾孔であり、携帯用機器のイヤホンのコードを挿通可能な裾孔と
を備えることを特徴とするシャツ」
である。
【０００７】
上記構成のシャツは、裾孔を有しているため、この裾孔を通じて、ズボンやスカートのポケットから延び出たイヤホンのコードをシャツの表側から裏側に通すことができる。また、上記構成のシャツは、胸ポケット孔を有しているため、この胸ポケット孔を通じて、シャツの上側のコードを、シャツの表側に引き出すことができる。
【０００８】
よって、上記構成のシャツによれば、ズボンやスカートのポケットから延び出たイヤホンのコードを、裾孔と胸ポケット孔との間においてシャツの裏側に隠すことができ、上半身周りにてすっきりと納めることができる。
【０００９】
上述した手段において、
「側部にて互いに縫着された前身頃及び後身頃を有し、
前記裾孔は、前記前身頃と前記後身頃との縫着部分に設けられている
ことを特徴とするシャツ」
とするのが好適である。
【００１０】
シャツの中には、側部にて互いに逢着された前身頃と後身頃とを有するシャツがある。上記構成のシャツは、このような前身頃と後身頃とを有するシャツを本考案の適用対象として、前身頃と後身頃との縫着部分に裾孔を設けたものである。
【００１１】
すなわち、シャツの裾部分において、前身頃と後身頃とを縫着しない部分を設け、この縫着しない部分、すなわち「非縫着部分」によって裾孔を形成したものである。換言すれば、前身頃と後身頃との間に裾孔を設けたものである。
【００１２】
このように前身頃と後身頃との間に裾孔を設けることで、裾孔を目立ち難くすることができる。
【００１３】
上述した手段において、
「前記裾孔には、穴カガリが施されている
ことを特徴とするシャツ」
とするのが好適である。
【００１４】
前身頃と後身頃との非縫着部分によって裾孔を形成すると、裾孔にイヤホンのコードが繰返し挿通されることで、裾孔の上下の縫着部分がほつれ易くなる。そこで、上記構成のシャツでは、裾孔に穴カガリを施すことで、裾孔の上下の縫着部分をほつれ難くすることができる。
【考案の効果】
【００１５】
以上のように、本考案によれば、携帯用機器をズボンやスカートのポケットに入れて使用する際にポケットから延び出るイヤホンのコードを上半身周りにてすっきりと納めることのできるシャツを提供することができる。
【図面の簡単な説明】
【００１６】
【図１】本考案に係るシャツの一例を示す斜視図である。
【図２】裾穴をシャツの裏側から見た要部斜視図である。
【図３】本考案に係るシャツの使用状態を示す斜視図である。
【考案を実施するための形態】
【００１７】
図１に、本発明に係るシャツ１０の一例を示す。なお、本例のシャツ１０は、胸ポケット１３を有するポロシャツであるが、本考案は、ポロシャツに限らず、カッターシャツ、ワイシャツ、Ｔシャツ、ブラウス等、胸ポケット１３を有するシャツの広範に適用することができる。
【００１８】
シャツ１０の胸ポケット１３には、胸ポケット１３の内部とシャツ１０の裏側とを連通させる胸ポケット孔２０が設けられている。そして、この胸ポケット孔２０は、携帯用機器４０のイヤホン４１のコード４２を挿通可能な大きさとなっている（図３参照）。
【００１９】
なお、胸ポケット孔２０を、イヤホン４１を挿通可能な大きさとすれば、イヤホン４１のコード４２を挿通させる際して、胸ポケット孔２０に、イヤホン４１側からコード４２を通すことができる。また、イヤホン４１を挿通させることはできないが、コード４２の接続端子（コード４２を携帯用機器４０に接続するための端子）を挿通可能な大きさとすれば、イヤホン４１のコード４２を挿通させる際して、胸ポケット孔２０に、接続端子側からコード４２を通すことができる。そして、このようにすることで、胸ポケット孔２０を小さな孔として、外観上、目立ち難くすることができる。
【００２０】
また、胸ポケット孔２０は、胸ポケット１３の上部に設けられており、シャツ１０の生地に胸ポケット１３を付けた後からでも、胸ポケット孔２０を容易に形成することができるようにしてある。さらに、胸ポケット孔２０は、胸ポケット１３の脇に設けられており、シャツ１０の外観上で見え難く、目立ち難いものとなっている。
【００２１】
また、胸ポケット孔２０は、スリット状の孔となっており、挿通されたコード４２と擦れてコード４２に適度な抵抗が与えられるようにしてある。よって、挿通したコード４２が胸ポケット孔２０から無用に出たり入ったりせずに、コード４２を安定させることができる。
【００２２】
さらに、胸ポケット孔２０には、穴カガリが施されており、コード４２を繰返し挿通させても、胸ポケット孔２０の周りがほつれ難くなっている。
【００２３】
シャツ１０の裾には、シャツ１０の表側と裏側とを連通させる裾孔３０が設けられている。そして、この裾孔３０は、携帯用機器４０のイヤホン４１のコード４２を挿通可能な大きさとなっている（図３参照）。
【００２４】
なお、裾孔３０を、イヤホン４１を挿通可能な大きさとすれば、イヤホン４１のコードを挿通させる際して、裾孔３０に、イヤホン４１側からコード４２を通すことができる。また、イヤホン４１を挿通させることはできないが、コード４２の接続端子を挿通可能な大きさとすれば、イヤホン４１のコード４２を挿通させる際して、裾孔３０に、接続端子側からコード４２を通すことができる。そして、このようにすることで、裾孔３０を小さな孔として、外観上、目立ち難くすることができる。
【００２５】
また、裾孔３０は、スリット状の孔となっており、挿通されたコード４２と擦れてコード４２に適度な抵抗が与えられるようにしてある。よって、挿通したコード４２が裾孔３０から無用に出たり入ったりせずに、コード４２を安定させることができる。
【００２６】
さらに、裾孔３０には、穴カガリが施されており、これにより、コード４２を繰返し挿通させても、裾孔３０の周りをほつれ難くすることができる。
【００２７】
ところで、本例のシャツ１０は、側部にて互いに逢着された前身頃１１と後身頃１２とを有しており、裾孔３０は、前身頃１１と後身頃１２との縫着部分に設けられている。具体的に、シャツ１０の裾部分において、前身頃１１と後身頃１２とに縫着しない部分が設けられており、この縫着しない部分によって裾孔３０が構成されている。このように、前身頃１１と後身頃１２との間に裾孔を設けることで、裾孔３０を、より一層、目立ち難くすることができる。
【００２８】
前身頃１１と後身頃１２とを夫々の側部にて逢着したシャツ１０では、図２に示すように、前身頃１１の生地の端部及び後身頃１２の生地の端部が夫々、縫着部分から延び出るのであるが、裾孔３０に穴カガリが施されていることから、前身頃１１及び後身頃１２の夫々の延び出た各端部が互いに離間するように折り返された状態で安定する。よって、裾孔３０にコード４２を挿通させる際に、前身頃１１の生地の端部及び後身頃１２の生地の端部が邪魔になることがない。
【００２９】
また、裾孔３０に穴カガリが施されていることから、裾孔３０にコード４２を繰返し挿通させても、裾孔３０の上下の前身頃１１と後身頃１２との縫着部分をほつれ難くすることができる。
【００３０】
次に、本例のシャツ１０の使用状態を説明する。
【００３１】
図３に示すように、携帯用機器４０をズボン５０（スカートでもよい）のポケット５１に入れて使用する場合には、ズボン５０のポケット５１から延び出たコード４２を、シャツ１０の裾孔３０に通してシャツ１０の裏側で引き回す。そして、シャツ１０の裏側に引き回したコード４２を、胸ポケット孔２０からシャツ１０の表側に取り出して、イヤホン４１を使用すればよい。
【００３２】
なお、裾孔３０や胸ポケット孔２０がイヤホン４１を挿通可能な程、大きくない場合には、コード４２を接続端子側から胸ポケット孔２０に通してシャツ１０の裏側に引き回し、裾孔３０からシャツ１０の表側に取り出して、接続端子を携帯用機器４０に接続すればよい。
【符号の説明】
【００３３】
１０  シャツ
１１  前身頃
１２  後身頃
１３  胸ポケット
２０  胸ポケット孔
３０  裾孔
４０  携帯用機器
４１  イヤホン
４２  コード
５０  ズボン
５１  ポケット
【図１】
0003152825.tif 000003
【図２】
0003152825.tif 000004
【図３】
0003152825.tif 000005